【手続補正書】
【提出日】平成18年6月19日(2006.6.19)
【手続補正１】
【補正対象書類名】明細書
【補正対象項目名】全文
【補正方法】変更
【補正の内容】
【書類名】  明細書
【発明の名称】  マイクロステレオシステム
【特許請求の範囲】
【請求項１】
透明なドアを有し、該ドアによって覆われた記録媒体からデータを読み出し、該データに対応した信号を生成する再生手段と、
上記ドアの後方の第１の位置から、上記記録媒体をローディング可能な該ドアの上方の第２の位置に垂直に移動するローディング領域と、
上記信号を音響エネルギに変換するスピーカと、
上記ドア上に動作情報を表示する表示手段とを備えるマイクロステレオシステム。
【請求項２】
上記ドアの動作情報が表示される領域に近接した領域は、透明であることを特徴とする請求項１記載のマイクロステレオシステム。
【請求項３】  操作のための操作子を有するコントロールパネルを備える請求項１記載のマイクロステレオシステム。
【請求項４】
上記ドアは、上記記録媒体をローディングするローディング領域にアクセスできるように開くことを特徴とする請求項１記載のマイクロステレオシステム。
【請求項５】
上記データは、可動式のレーザピックアップによって上記記録媒体から読み出されることを特徴とする請求項１記載のマイクロステレオシステム。
【請求項６】
上記データは、固定式のレーザピックアップによって上記記録媒体から読み出されることを特徴とする請求項１記載のマイクロステレオシステム。
【請求項７】
コンピュータによって制御されることを特徴とする請求項１記載のマイクロステレオシステム。
【請求項８】
ＡＭ／ＦＭチューナに接続されていることを特徴とする請求項１記載のマイクロステレオシステム。
【請求項９】
カセットデッキに接続されていることを特徴とする請求項１記載のマイクロステレオシステム。
【請求項１０】
ＤＶＤプレーヤに接続されていることを特徴とする請求項１記載のマイクロステレオシステム。
【請求項１１】
上記記録媒体は、コンパクトディスクであることを特徴とする請求項１記載のマイクロステレオシステム。
【請求項１２】
上記記録媒体は、該記録媒体が再生中に回転しているときに、識別可能な画像に展開される図形を有し、該画像は、上記ドア越しに見えることを特徴とする請求項１記載のマイクロステレオシステム。
【請求項１３】
記録媒体を覆う透明なドアを有し、該記録媒体からデータを読み出し、該データに対応した信号を生成する再生手段と、
上記信号を音響エネルギに変換するスピーカ手段と、
上記ドア上に動作情報を表示する表示手段と、
操作のための操作子を有するコントロールパネルとを備え、
上記ドアの動作情報が表示される領域に近接した領域は、ユーザが再生中に上記記録媒体が見えるように十分な透明度を有し、該ドアは、電源が切れているときには上記再生手段及び上記操作子を覆う第１の位置に移動し、上記操作子にアクセスできる第２の位置に移動し、上記再生手段にアクセスして上記記録媒体をローディングできる第３の位置に移動することを特徴とするコントロールパネルとを備えるマイクロステレオシステム。
【請求項１４】
上記データは、可動式のレーザピックアップによって上記記録媒体から読み出されることを特徴とする請求項１４記載のマイクロステレオシステム。
【請求項１５】
上記データは、固定式のレーザピックアップによって上記記録媒体から読み出されることを特徴とする請求項１４記載のマイクロステレオシステム。
【請求項１６】
コンピュータによって制御されることを特徴とする請求項１４記載のマイクロステレオシステム。
【請求項１７】
ＡＭ／ＦＭチューナに接続されていることを特徴とする請求項１４記載のマイクロステレオシステム。
【請求項１８】
カセットデッキに接続されていることを特徴とする請求項１４記載のマイクロステレオシステム。
【請求項１９】
ＤＶＤプレーヤに接続されていることを特徴とする請求項１４記載のマイクロステレオシステム。
【請求項２０】
上記記録媒体は、コンパクトディスクであることを特徴とする請求項１４記載のマイクロステレオシステム。
【請求項２１】  上記記録媒体は、該記録媒体が再生中に回転しているときに、識別可能な画像に展開される図形を有し、該画像は、上記ドア越しに見えることを特徴とする請求項１４記載のマイクロステレオシステム。
【発明の詳細な説明】
【０００１】
発明の属する技術分野
本発明は、マイクロステレオシステム（stereo micro system）に関する。特に、本発明は、マイクロステレオシステムの動作に関する情報を表示する表示ためのディスプレイと一体化したＣＤカバーを備えるマイクロステレオシステムに関する。
【０００２】
従来の技術
ステレオシステムは、ラジオ放送を聴いたり、音楽を録音及び再生するために広く利用されている。このようなステレオシステムは、コンポーネント、例えばＡＭ／ＦＭチューナ、１つ以上の録音／再生カセットデッキ、スピーカ、コンパクトディスク（compact disk：以下、ＣＤという。）プレーヤ等を備えている。近年、ステレオシステムに対する消費者側からの要求として、小型化がある。
【０００３】
マイクロコンポーネントシステム、すなわちマイクロステレオシステムとして知られているステレオシステムは、家庭において、場所をそれほど取らずに置くことができ、望ましいものである。さらに、軽量小型であるため、住宅の部屋から部屋へと持ち運んで使用することもできる。
【０００４】
マイクロステレオシステムは、通常、様々な操作を行うためのフロントパネルと、例えば液晶表示装置（liquid cristal display：以下、ＬＣＤという。）のような表示装置を備える。
【０００５】
表示装置は、選択された音量レベル、再生されている曲のトラック番号、残り時間、選択された音源、ＣＤの再生モード等のマイクロステレオシステムの動作に関する情報を表示する。しかしながら、表示する情報を増やすと、ＬＣＤは、それに伴って大型化し、結果的にフロントパネルのかなりの面積を占めることになる。このため、マイクロステレオシステム本体は、必然的に大型化し、重量が増える傾向にあった。さらに、マイクロステレオシステムに新たな機器又は機能を追加することによっても、ＬＣＤは大型化し、そのことがマイクロステレオシステム全体が大型化する要因となっていた。
【０００６】
また、このようなマイクロステレオシステムにおいて、ＣＤをＣＤプレーヤにローディングする際には、通常、ディスクトレイ機構が用いられている。ＣＤをローディングするときには、トレイがＣＤプレーヤからスライド又は外へ移動し、ＣＤがローディング可能な状態になる。
【０００７】
そして、トレイは、ＣＤプレーヤ内部に引き込まれ、ＣＤが再生時の位置にセットされる。しかしながら、このような構造のマイクロステレオシステムでは、ＣＤが見えないという欠点がある。ＣＤが見えないということは、すなわちＣＤの表面上にアーティスト名、曲名、図形等が印刷されていたとしても、それらを見ることができない。あるいは、ディスクトレイ機構の他に、蝶番でドアが開閉し、ＣＤをローディングした後にドアを閉じる方式のドア式カバーが用いられる場合もある。このようなカバーには、通常、ＣＤの一部が見えるようにした小さな窓が備わっていることが多い。しかしながら、このような構造のマイクロステレオシステムにおいても、マイクロステレオシステム全体の動作情報を表示するためには、ＬＣＤが必要とされる。
【０００８】
本発明の目的は、上述した事情に鑑みてなされたものであり、軽量小型でありながら、マイクロステレオシステムに関する動作情報を十分に表示することのできるマイクロステレオシステムを提供することである。
【０００９】
本発明に係る、マイクロステレオシステムは、記録媒体を覆う透明なドアを有し、記録媒体からデータを読み出し、このデータに対応した信号を生成する再生機器を備える。
【００１０】
また、本発明に係るマイクロステレオシステムは、信号を音響エネルギに変換するスピーカと、動作に関する情報をドア上に表示する表示装置とを備える。
【００１１】
本発明の新規な特徴は、特許請求の範囲に述べている。なお、本発明自体の構成及び方法、更なる目的及び効果は、以下の、図面を用いた説明を参照することによって、最も良く理解できると思われる。
【００１２】
発明を実施するための最良の形態
本発明は、多くの異なる形態で実施することができ、ここでは、特定の実施の形態について詳細に説明するが、この特定の実施の形態は、本発明の原理の一例を示したものであり、本発明を限定するものではない。以下の説明においては、異なる図面の中で同一の又は対応する部分については、同じ指示符号を付している。
【００１３】
図１は、本発明を適用したマイクロステレオシステム１５の正面図である。マイクロステレオシステム１５は、ＣＤを再生するＣＤプレーヤ１０と、このＣＤプレーヤ１０に電気的に接続されたスピーカ１７とを備える。好ましい実施の形態では、ＣＤプレーヤ１０は、従来の技術を用いてＣＤを再生する。なお、ＣＤプレーヤ１０は、ＣＤ以外にも、デジタルビデオディスク（ＤＶＤ）、すなわちデジタルバーサティルディスク（digital versatile disc：以下ＤＶＤという。）、ソニー株式会社製の記録媒体「ミニディスク（MiniDisc）：商標」等の媒体を再生又は記録するものであってもよい。
【００１４】
図２、図３は、ＣＤプレーヤ１０の正面図、側面図である。ＣＤプレーヤ１０は、ＣＤプレーヤ１０を動作させる回路及び部品を格納した筐体１２を備える。さらに、ＣＤプレーヤ１０は、ＣＤプレーヤ１０にアクセスするのに適した角度に設定されたフロントパネル１４を備える。フロントパネル１４は、透明な材料で製造された中央部１９を有するドア１６を備える。ＣＤをローディングするＣＤローディング領域１８は、ドア１６の後部に位置している。このように、中央部１９を透明にすることによって、ＣＤローディング領域１８内にローディングされたＣＤがユーザ側から見えるようになっている。このため、ＣＤがＣＤプレーヤ１０にローディングされたとき、ユーザは、ＣＤの表面に印刷されている情報、例えばアーティスト名、曲名、図形、他の情報を識別又は見ることができる。さらに、ＣＤには、ＣＤが再生中に回転すると、識別可能な画像に展開される図形が印刷されていてもよく、この画像は、中央部１９を通してユーザに見える。あるいは、中央部１９は、ＣＤ表面上に位置する情報を識別するのに十分な透明度を有する半透明の材料から製造されていてもよい。さらに、ドア１６の全体が透明又は半透明の材料から製造されていてもよい。
【００１５】
本発明においては、ドア１６は、マイクロステレオシステムの動作に関する情報を表示するのにも用いられる。ドア１６に情報を表示することによって、マイクロステレオシステム１５のフロントパネル１４上にＬＣＤを設ける必要性が無くなり、したがって、マイクロステレオシステム１５の大きさ及び重量を軽減することができる。特に、動作情報は、ユーザから見て、ドア１６内に浮かび上がって（suspended）見えるように表示される。さらに、動作情報が表示される領域に近接した領域は、透明又は半透明であるので、表示された動作情報と共に、ＣＤの大部分を見ることができる。動作情報は、例えばデジタル時計、カレンダ等のように、透明又は半透明の材料上に電気的表示を行う容易に利用可能な技術を用いて表示される。一例として、ドア１６は、選択された演奏中のトラック番号２０、残り時間２２、曲名２４、及び例えば音量レベル、音源及び／又はＣＤの再生モード等のマイクロステレオシステムのＬＣＤ上に通常表示される他の情報を表示するのに用いられる。
【００１６】
ドア１６の下方には、再生／一時停止操作子２８、音量操作子３０、早送り操作子３２、巻戻し操作子３４、停止操作子３６、機能操作子３８、メニュー操作子４０、電源入／切操作子４２等の、ＣＤプレーヤ１０を操作するボタン又はノブが設けられた従来のコントロールパネル２６が配設されている。さらに、コントロールパネル２６には、ドア１６を操作するドア操作子４４が設けられている。一実施の形態では、ＣＤローディング領域１８は動かず、ドア１６が開くことによって、ＣＤローディング領域１８にアクセスできるようになっている。あるいは、ドア１６は、駆動機構によりフロントパネル１４に対してスライド、すなわち上昇し、ＣＤローディング領域１８にアクセスできるようになっている。あるいは、ドア１６は、開閉するように蝶番で取り付けられていてもよい。なお、この実施の形態では、再生中に、レーザピックアップがＣＤに対して移動するように、可動式のレーザピックアップが用いられている。
【００１７】
他の実施の形態では、可動式のＣＤローディング領域１８が、固定式のドア１６と組み合わされて用いられている。図４Ａに示すように、ＣＤローディング領域１８が、駆動機構により、ドア１６に対して上昇すると、ＣＤローディング領域１８は、ＣＤ４６をローディングできるようにドア１６の上方に移動する。そして、図４Ｂに示すように、ＣＤ４６は、ＣＤローディング領域１８にローディングされた後、ドア１６の後方であってＣＤプレーヤ１０の上部である第１の位置にまで下降される。この実施の形態では、再生中に、ＣＤ４６がレーザピックアップに対して移動する固定式のレーザピックアップトラッキング装置が用いられる。この場合、ＣＤ４６は、再生中に、ドア１６の後方であってコントロールパネル２６により近い第２の位置（点線で示す）まで下降する。このように、ＣＤ４６は、再生中に、ドア１６に対して回転及び移動する。あるいは、ＣＤ４６がコントロールパネル２６に対して移動することのない可動式のレーザピックアップを用いてもよい。
【００１８】
図５、図６及び図７に、ＣＤプレーヤ１０の他の実施の形態を示す図である。この実施の形態では、フロントパネル１４に対してスライド又は移動する３ポジションドア４８が用いられる。図５は、第１の位置にあるドア４８を示す図であり、マイクロステレオシステム１５の電源は、切られており、ドア４８は、ＣＤローディング領域１８、再生／一時停止操作子２８、音量操作子３０、早送り操作子３２、巻戻し操作子３４、停止操作子３６、機能操作子３８、メニュー操作子４０、ドア操作子４４等、電源入／切操作子４２以外のマイクロステレオシステム１５を操作する操作子を覆っている。ユーザが電源入／切操作子４２を押すと、図６に示すように、ドア４８が駆動機構によって第２の位置まで上昇し、再生／一時停止操作子２８、音量操作子３０、早送り操作子３２、巻戻し操作子３４、停止操作子３６、機能操作子３８、メニュー操作子４０、電源入／切操作子４２及びドア操作子４４が現れ、ＣＤローディング領域１８は、ドア４８によって覆われたままである。そして、ユーザがドア操作子４４を押すと、図７に示すように、ドア４８が駆動機構によって第３の位置まで上昇し、ＣＤローディング領域１８が現れる。再生／一時停止操作子２８又はドア操作子４４を押すと、ドア４８は、第２の位置にスライド、すなわち下降して、ＣＤローディング領域１８を覆う。そして、電源入／切操作子４２を押すと、マイクロステレオシステム１５の電源が切れ、ドア４８が第１の位置に戻る。この実施の形態では、例えば、可動式のレーザピックアップ又は固定式のレーザピックアップの何れでも用いることができる。
【００１９】
したがって、本発明を適用したマイクロステレオシステムは、上述した目的及び効果を完全に満たすことは明らかである。本発明を、特定の実施の形態に用いて説明したが、上述の説明より、本発明を様々に代替、修正、変更及び変形できることは、当業者に明らかである。例えば、マイクロステレオシステム１５に、機能を追加してきて、拡張することもできる。すなわち、マイクロステレオシステム１５は、必要に応じて、マイクロステレオシステム１５を制御するコンピュータ又は同等の装置に接続することもできる。さらに、マイクロステレオシステム１５は、他の娯楽ソースを提供するために、ＡＭ／ＦＭチューナ、カセットデッキ、ＤＶＤプレーヤ等の機器と接続することもできる。したがって、本発明は、特許請求の範囲を逸脱することなく、代替、修正、変更及び変形を含むものとする。
【図面の簡単な説明】
【図１】
本発明を適用したマイクロステレオシステムの正面図である。
【図２】
本発明を適用したマイクロステレオシステムの再生機器の正面図である。
【図３】
本発明を適用したマイクロステレオシステムの再生機器の側面図である。
【図４Ａ】
本発明を適用したマイクロステレオシステムの上方に移動しているローディング部を示す図である。
【図４Ｂ】
本発明を適用したマイクロステレオシステムにローディングされ、再生時に移動するＣＤを示す図である。
【図５】
本発明を適用したマイクロステレオシステムの再生機器の別の実施の形態においてドアが第１ポジションに位置する状態を示す正面図である。
【図６】
本発明を適用したマイクロステレオシステムの再生機器の別の実施の形態においてドアが第２ポジションに位置し、装置の幾つかのコントロールが利用可能な状態を示す正面図である。
【図７】
本発明を適用したマイクロステレオシステムの再生機器の別の実施の形態において、ドアが第３ポジションに位置し、ＣＤローディング部へのアクセスが可能な状態を示す正面図である。